(57)【要約】 【課題】  親受信装置越しにコンテンツを取得する可能性のある子受信装置をセンター装置側で確実に管理する。【解決手段】  コンテンツを送信するセンター装置１００と、子受信装置３００と、センター装置とＣＡＴＶネットワーク３０を介して通信し、子受信装置とＬＡＮ４０を介して通信し、コンテンツ蓄積手段２０３を有する、親受信装置２００とを備え、子受信装置３００は、親受信装置に対しコンテンツの送信要求を行うＩＤ送信手段３０２を有し、親受信装置２００は、送信要求を受ける第２ネットワーク接続手段２０４と、その適否を決定するＩＤ比較手段２０５他とを有し、認証を適と決定した場合にコンテンツ蓄積手段２０３のコンテンツを子受信装置３００へ送信し、認証を否と決定した場合に当該認証しなかった子受信装置３００に関する装置情報をセンター装置１００へ送信し、センター装置１００は、コンテンツを扱う装置に関する装置情報を管理する。【選択図】図２
2009010650.tif 000002
【特許請求の範囲】
【請求項１】
コンテンツを送信するセンター装置と、
子受信装置と、
前記センター装置と第１のネットワークを介して通信し、前記子受信装置と第２のネットワークを介して通信し、前記センター装置から送信される前記コンテンツを蓄積する蓄積部を有する、親受信装置とを備え、
前記子受信装置は、
前記親受信装置に対し前記コンテンツの送信要求を少なくとも行う要求送信部を有し、
前記親受信装置は、
前記送信要求を受ける要求受信部と、
前記送信要求を認証してその適否を決定する認証決定部と、
前記認証決定部が前記認証を適と決定した場合に前記コンテンツを前記子受信装置へ送信するコンテンツ送信部と、
前記認証決定部が前記認証を否と決定した場合に当該認証しなかった前記子受信装置に関する装置情報を前記センター装置へ送信する装置情報送信部とを有し、
前記センター装置は、
前記コンテンツを扱う装置に関する装置情報を管理する管理部を有する、装置管理システム。
【請求項２】
コンテンツを蓄積する蓄積部を有するとともに、第２のネットワークを介して子受信装置と通信する親受信装置に対し、第１のネットワークを介して通信する、前記コンテンツを送信するセンター装置であって、
前記コンテンツを扱う装置に関する装置情報を管理する管理部を備え、
前記装置情報は、
前記親受信装置が、前記子受信装置より前記親受信装置に対し行われた前記コンテンツの送信要求に対する認証を否と決定した場合に、前記親受信装置より、当該認証しなかった前記子受信装置に関するものとして前記センター装置へ送信される、センター装置。
【請求項３】
前記親受信装置から前記装置情報を受信すると、前記管理部に管理される装置情報に一致するかどうかを判断する装置情報判断部を備え、
前記装置情報判断部による判断結果が一致を示す場合は、前記判断結果に応じた通知を前記親受信装置に送信し、
前記通知は、前記親受信装置の前記認証決定部に前記子受信装置に対する前記認証を適として再決定させるとともに、前記コンテンツ送信部に前記コンテンツを前記子受信装置へ送信可能な状態とさせるものである、請求項２に記載のセンター装置。
【請求項４】
前記親受信装置から前記装置情報を受信すると、前記管理部に管理される装置情報に一致するかどうかを判断する装置情報判断部を備え、
前記装置情報判断部による判断結果が一致しない旨を示す場合は、前記判断結果に応じた通知を前記親受信装置に送信し、
前記通知は、前記親受信装置に、前記センター装置への前記子受信装置の登録に関する登録情報を前記子受信装置へ送信させるものである、請求項２に記載のセンター装置。
【請求項５】
前記親受信装置から前記装置情報を受信すると、前記管理部に管理される装置情報に一致するかどうかを判断する装置情報判断部と、
前記装置情報判断部による判断結果が一致しない旨を示す場合は、前記判断結果に応じた通知、及び前記センター装置への前記子受信装置の登録に関する登録情報を前記子受信装置へ送信する通知発行部とを備えた、請求項２に記載のセンター装置。
【請求項６】
前記親受信装置から前記装置情報を受信すると、前記管理部に管理される装置情報に一致するかどうかを判断する装置情報判断部を備え、
前記装置情報判断部は、判断結果が一致しない旨を示す場合は、受信した前記装置情報が、前記管理部に不正装置を示す前記装置情報として管理されている不正装置情報に一致するかどうかを判断し、
前記不正装置情報に一致する場合は、その判断結果に応じた通知を前記親受信装置に送信し、
前記通知は、前記親受信装置の前記コンテンツ送信部に対し前記コンテンツの送信を禁止する状態とさせるものである、請求項２に記載のセンター装置。
【請求項７】
前記親受信装置から前記装置情報を受信すると、前記管理部に管理される装置情報に一致するかどうかを判断する装置情報判断部を備え、
前記装置情報判断部は、判断結果が一致しない旨を示す場合は、受信した前記装置情報が、前記管理部に不正装置を示す前記装置情報として管理されている不正装置情報に一致するかどうかを判断し、
前記不正装置情報に一致する場合は、その判断結果に応じた通知を前記親受信装置に送信し、
前記通知は、前記子受信装置の全部又は一部の動作を正常でなくする制御命令である、請求項２に記載のセンター装置。
【請求項８】
コンテンツを送信するとともに前記コンテンツを扱う装置に関する装置情報を管理する管理部を有するセンター装置と第１のネットワークを介して通信し、かつ子受信装置と第２のネットワークを介して通信する、前記センター装置から送信される前記コンテンツを蓄積する蓄積部を有する、親受信装置であって、
前記子受信装置から前記コンテンツの送信要求を受ける要求受信部と、
前記送信要求を認証してその適否を決定する認証決定部と、
前記認証決定部が前記認証を適と決定した場合に前記コンテンツを前記子受信装置へ送信するコンテンツ送信部と、
前記認証決定部が前記認証を否と決定した場合に当該認証しなかった前記子受信装置に関する装置情報を、前記センター装置へ送信する装置情報送信部とを備えた、親受信装置。
【請求項９】
前記センター装置が、送信した前記装置情報が前記管理部に管理される装置情報に一致するかどうかを判断し、一致する旨の判断結果に応じた通知を発信した場合、
前記認証決定部は、前記通知を受信すると、前記子受信装置に対する前記認証を適と再決定し、前記コンテンツ送信部は、前記コンテンツを前記子受信装置へ送信可能な状態とする、請求項８に記載の親受信装置。
【請求項１０】
前記センター装置から、送信した前記装置情報が前記管理部に管理される装置情報に一致しない旨の判断結果に応じた通知を受信した場合に、前記センター装置への前記子受信装置の登録に関する登録情報を前記子受信装置へ送信する登録情報送信部を備えた、請求項９に記載の親受信装置。
【請求項１１】
前記子受信装置から前記登録情報に基づく登録完了通知を受信する通知受信部を備え、
前記認証決定部は、前記登録完了通知を受信すると、前記子受信装置をその装置情報とともに前記認証を適として再決定し、
前記コンテンツ送信部は、前記コンテンツを前記子受信装置へ送信可能な状態とする、請求項１０に記載の親受信装置。
【請求項１２】
前記子受信装置から、請求項５に記載の前記センター装置が送信した前記登録情報に基づく登録完了通知を受信する通知受信部を備え、
前記認証決定部は、前記登録完了通知を受信すると、前記子受信装置をその装置情報とともに前記認証を適として再決定し、
前記コンテンツ送信部は、前記コンテンツを前記子受信装置へ送信可能な状態とする、請求項１０に記載の親受信装置。
【請求項１３】
前記センター装置からの通知を受信する通知受信部を備え、
前記通知受信部が、前記センター装置から、送信した前記装置情報が前記管理部に不正装置を示す前記装置情報として管理されている不正装置情報に一致する旨の判断結果に応じた通知を受信した場合、
前記コンテンツ送信部は、前記子受信装置に対する前記コンテンツの送信を禁止する、請求項８に記載の親受信装置。
【請求項１４】
前記センター装置からの通知を受信する通知受信部と、
前記通知受信部の受信した前記通知に応じて、前記子受信装置へ所定の通知を発行する通知発行部とを備え、
前記センター装置からの通知は、前記センター装置が、送信した前記装置情報が前記管理部に不正装置を示す前記装置情報として管理されている不正装置情報に一致するかどうかを判断し、一致する旨の判断結果に応じた場合の通知であり、
前記所定の通知は、前記子受信装置の全部又は一部の動作を正常でなくする制御命令である、請求項８に記載の親受信装置。
【請求項１５】
コンテンツを送信するとともに前記コンテンツを扱う装置に関する装置情報を管理する管理部を有するセンター装置と第１のネットワークを介して通信するとともに、前記センター装置から送信される前記コンテンツを蓄積する蓄積部を有する、親受信装置
と第２のネットワークを介して通信する子受信装置であって、
前記親受信装置に対し前記コンテンツの送信要求を少なくとも行う要求送信部を備え、
前記親受信装置は、前記送信要求を受けると前記送信要求を認証してその適否を決定し、前記認証を適と決定した場合に前記コンテンツを前記子受信装置へ送信し、前記認証を否と決定した場合に当該認証しなかった前記子受信装置に関する装置情報を前記センター装置へ送信する、子受信装置。
【請求項１６】
前記親受信装置からの通知を受信する通知受信部を備え、
前記親受信装置が、前記センター装置による、送信した前記装置情報が前記管理部に管理される装置情報に一致しない旨の判断結果に応じた前記通知と、前記センター装置への前記子受信装置の登録に関する登録情報とを送信した場合、
前記通知受信部は、前記通知及び前記登録情報を受信する、請求項１５に記載の子受信装置。
【請求項１７】
前記センター装置からの通知を受信する通知受信部を備え、
前記センター装置が、前記親受信装置から送信された前記装置情報が前記管理部に管理される装置情報に一致するかどうかを判断し、一致しない旨の判断結果に応じた前記通知と、前記センター装置への前記子受信装置の登録に関する登録情報とを送信した場合、
前記通知受信部は、前記通知及び前記登録情報を受信する、請求項１５に記載の子受信装置。
【請求項１８】
前記親受信装置に対し、請求項５に記載の前記センター装置が送信した前記登録情報に基づく登録完了通知を送信する通知送信部を備え、
前記登録完了通知は、前記親受信装置の前記認証決定部に前記子受信装置に対する前記認証を適として再決定させるとともに、前記コンテンツ送信部に前記コンテンツを前記子受信装置へ送信可能な状態とさせるものである、請求項１７に記載の子受信装置。
【請求項１９】
前記親受信装置に対し、前記登録情報に基づく登録完了通知を送信する通知送信部を備え、
前記登録完了通知は、前記親受信装置の前記認証決定部に前記子受信装置に対する前記認証を適として再決定させるとともに、前記コンテンツ送信部に前記コンテンツを前記子受信装置へ送信可能な状態とさせるものである、請求項１５に記載の子受信装置。
【請求項２０】
前記親受信装置からの通知を受信する通知受信部と、
前記通知受信部の受信した前記通知に応じて少なくとも前記要求送信部の動作を制御する動作制御部とを備え、
前記センター装置が、送信した前記装置情報が前記管理部に不正装置を示す前記装置情報として管理されている不正装置情報に一致するかどうかを判断し、一致する旨の判断結果に応じた前記通知を発信した場合、
前記動作制御部は、少なくとも前記要求送信部の動作を正常でなくする制御を行う、請求項１５に記載の子受信装置。
【請求項２１】
コンテンツを送信するセンター装置と、
子受信装置と、
前記センター装置と第１のネットワークを介して通信し、前記子受信装置と第２のネットワークを介して通信し、前記センター装置から送信されるコンテンツを前記子受信装置へ配信可能な親受信装置とを備え、
前記子受信装置は、
前記親受信装置に対し前記コンテンツの配信要求を少なくとも行う要求送信部を有し、
前記親受信装置は、
前記送信要求を受ける要求受信部と、
前記子受信装置に対し、前記送信要求を認証してその適否を決定する認証決定部と、
前記認証決定部が前記認証を適と決定した場合に、前記センター装置に対し前記コンテンツの送信を要求して前記子受信装置へ配信するコンテンツ配信部と、
前記認証決定部が前記認証を否と決定した場合に当該認証しなかった前記子受信装置に関する装置情報を前記センター装置へ送信する装置情報送信部とを有し、
前記センター装置は、
前記コンテンツを扱う装置に関する装置情報を管理する管理部を有する、装置管理システム。
【請求項２２】
第２のネットワークを介して子受信装置と通信する親受信装置に対し、第１のネットワークを介して通信する、前記コンテンツを送信するセンター装置であって、
前記コンテンツを扱う装置に関する装置情報を管理する管理部を備え、
前記装置情報は、
前記親受信装置が、前記子受信装置より前記親受信装置に対し行われた前記コンテンツの送信要求に対する認証を否と決定した場合に、前記親受信装置より、当該認証しなかった前記子受信装置に関するものとして前記センター装置へ送信される、センター装置。
【請求項２３】
コンテンツを送信するとともに前記コンテンツを扱う装置に関する装置情報を管理する管理部を有するセンター装置と第１のネットワークを介して通信し、かつ子受信装置と第２のネットワークを介して通信する、親受信装置であって、
前記子受信装置から前記コンテンツの送信要求を受ける要求受信部と、
前記送信要求を認証してその適否を決定する認証決定部と、
前記認証決定部が前記認証を適と決定した場合に、前記センター装置に対し前記コンテンツの送信を要求して前記子受信装置へ配信するコンテンツ配信部と、
前記認証決定部が前記認証を否と決定した場合に当該認証しなかった前記子受信装置に関する装置情報を、前記センター装置へ送信する装置情報送信部とを備えた、親受信装置。
【請求項２４】
コンテンツを送信するとともに前記コンテンツを扱う装置に関する装置情報を管理する管理部を有するセンター装置と第１のネットワークを介して通信する親受信装置
と第２のネットワークを介して通信する子受信装置であって、
前記親受信装置に対し前記コンテンツの送信要求を少なくとも行う要求送信部を備え、
前記親受信装置は、前記送信要求を受けると前記送信要求を認証してその適否を決定し、前記認証を適と決定した場合に前記コンテンツを前記子受信装置へ送信し、前記認証を否と決定した場合に当該認証しなかった前記子受信装置に関する装置情報を前記センター装置へ送信する、子受信装置。
【請求項２５】
コンテンツを送信するセンター装置と、
子受信装置と、
前記センター装置と第１のネットワークを介して通信し、前記子受信装置と第２のネットワークを介して通信し、前記センター装置から送信される前記コンテンツを蓄積する蓄積部を有する、親受信装置とを用いた、装置管理方法であって、
前記子受信装置による、
前記親受信装置に対し前記コンテンツの送信要求を少なくとも行う要求送信工程と、
前記親受信装置による、
前記送信要求を受ける要求受信工程と、
前記送信要求を認証してその適否を決定する認証決定工程と、
前記認証決定工程により前記認証を適と決定した場合に前記コンテンツを前記子受信装置へ送信するコンテンツ送信工程と、
前記認証決定工程により前記認証を否と決定した場合に当該認証しなかった前記子受信装置に関する装置情報を前記センター装置へ送信する装置情報送信工程と、
前記センター装置による、
前記コンテンツを扱う装置に関する装置情報を管理する管理工程とを備えた、装置管理方法。
【請求項２６】
コンテンツを送信するセンター装置と、
子受信装置と、
前記センター装置と第１のネットワークを介して通信し、前記子受信装置と第２のネットワークを介して通信し、前記センター装置から送信されるコンテンツを前記子受信装置へ配信可能な親受信装置とを用いた、装置管理方法であって、
前記子受信装置による、
前記親受信装置に対し前記コンテンツの配信要求を少なくとも行う要求送信工程と、
前記親受信装置による、
前記送信要求を受ける要求受信工程と、
前記子受信装置に対し、前記送信要求を認証してその適否を決定する認証決定工程と、
前記認証決定工程により前記認証を適と決定した場合に、前記センター装置に対し前記コンテンツの送信を要求して前記子受信装置へ配信するコンテンツ配信工程と、
前記認証決定工程により前記認証を否と決定した場合に当該認証しなかった前記子受信装置に関する装置情報を前記センター装置へ送信する装置情報送信工程と、
前記センター装置による、
前記コンテンツを扱う装置に関する装置情報を管理する管理工程とを備えた、装置管理方法。
【請求項２７】
請求項２又は２２に記載のセンター装置の、前記コンテンツを扱う装置に関する装置情報を管理する前記管理部としてコンピュータを機能させるためのプログラム。
【請求項２８】
請求項８又は２３に記載の親受信装置の、前記子受信装置から前記コンテンツの送信要求を受ける前記要求受信部と、前記送信要求を認証してその適否を決定する前記認証決定部と、前記認証決定部が前記認証を適と決定した場合に前記コンテンツを前記子受信装置へ送信する前記コンテンツ送信部と、前記認証決定部が前記認証を否と決定した場合に当該認証しなかった前記子受信装置に関する装置情報を、前記センター装置へ送信する前記装置情報送信部としてコンピュータを機能させるためのプログラム。
【請求項２９】
請求項１５又は２４に記載の親受信装置の、前記親受信装置に対し前記コンテンツの送信要求を少なくとも行う前記要求送信部としてコンピュータを機能させるためのプログラム。
【請求項３０】
請求項２７から２９のいずれかに記載のプログラムを記録した記録媒体であって、コンピュータにより処理可能な記録媒体。
【発明の詳細な説明】
【技術分野】
【０００１】
本発明は、映像等のコンテンツ配信における装置管理システム、センター装置、親受信装置、子受信装置、及び装置管理方法に関するものである。
【背景技術】
【０００２】
ＣＡＴＶ（ＣＡｂｌｅ  ＴｅｌｅＶｉｓｉｏｎ）事業者等の有線事業者において、衛星放送や地上波放送などの放送番組を自らの有線伝送路へ再送信する仕組みが実現されている。又、ＣＡＴＶ事業者が、受信装置にＨＤＤ（Ｈａｒｄ  Ｄｉｓｋ  Ｄｒｉｖｅ）等を用いたデータの蓄積機能を持たせ、有線伝送路で再送信した番組を、利用者が自宅で録画できる新たなサービスを提供するようになってきている。
【０００３】
一方、利用者宅内にはＬＡＮ（Ｌｏｃａｌ  Ａｒｅａ  Ｎｅｔｗｏｒｋ）によるネットワーク環境が整ってきており、宅内では例えば複数のパソコンがルータなどで接続され、これら複数のパソコンがインターネットと通信可能な環境が実現されている。更に、パソコンのみならず、ＣＡＴＶの受信装置にもネットワーク接続機能を持つものが現れてきている。
【０００４】
これらの背景を踏まえて、ＣＡＴＶの受信装置同士を宅内ネットワークで接続し、リビングに設置され、ＣＡＴＶを直接受信可能な受信装置に蓄積された番組を、寝室に配置された受信装置で視聴するといった利用シーンが想定される。以下、複数の受信装置を宅内ネットワークを介して接続する形態において、番組などのコンテンツを直接ＣＡＴＶ放送局から受信して蓄積して送出する側の受信装置を親受信装置、当該コンテンツを宅内ネットワークを介して受信する側の受信装置を子受信装置、このようなサービス自体を親子受信装置サービスと呼ぶ。
【０００５】
従来より、ＬＡＮにて接続要求を行なった子受信装置が正規に登録されている子受信装置であるかを確認する方法としては、子受信装置に固有の値（子ＩＤ）を割付け、親受信装置には接続可能な子受信装置の子ＩＤを登録し、子受信装置から接続要求が来た場合、子受信装置は子ＩＤを親受信装置に送信し、親受信装置では送られてきた子ＩＤと自身に登録されている子ＩＤを比較して、一致したら接続するといった方法や、親受信装置以外の装置が認証を行なう方法が一般的である。上述のような方法の一例として、無線ＬＡＮ親機が無線ＬＡＮ子機の固有情報が正しいか否かの認証を行うことにより接続可否を判断し、可であれば無線ＬＡＮ親機から無線ＬＡＮ子機に接続許可を示す信号を返し、正しくなければ、切断信号を送出する無線ＬＡＮシステムがある（特許文献１を参照）。
【０００６】
又、ＣＡＴＶネットワークにおいては、分配装置と端末収容装置の接続に関して中央装置を用いて認証を行なう場合に、認証を簡素化する方法として、分配装置が子ＩＤを持ち、端末収容装置から接続要求があった場合、分配装置が持つ子ＩＤと端末収容装置から送信されたＩＤを比較し、一致すれば中央送信装置に要求を出さずに、子受信装置（端末収容装置）に接続要求を出す方法が知られている（特許文献２を参照）。
【特許文献１】特開２０００−２３６３４２号公報
【特許文献２】特開平１０−１１２７２３号公報
【発明の開示】
【発明が解決しようとする課題】
【０００７】
しかしながら、ＣＡＴＶのネットワークに更にＬＡＮ等の宅内ネットワークを接続させてなる親子受信装置サービスにおいては、各特許文献に示した従来型のネットワークにおいては考慮されなかった新たな問題が生ずる。
【０００８】
すなわち、ＣＡＴＶのように積極的にコンテンツを利用者側に提供することを目的としたネットワークにおいては、親受信装置に接続できる子受信装置は、単に通信の適否を判断するのみならず、通信が不適とされた機器も将来の接続対象として管理することが望ましい。ＣＡＴＶネットワークにおいてはコンテンツを取得可能な受信装置の台数に応じて料金設定がなされることに鑑みて、事業者は加入者を増加させる目的から、コンテンツを利用可能な受信装置の個数は、増えるほうが一旦通信対象から外した受信装置も再び通信対象と成り得るからである。
【０００９】
このように、ＣＡＴＶのネットワークに更に宅内ネットワークを結合させた親子受信装置サービスにおいては、ＣＡＴＶのセンター装置は、従来のネットワーク管理と異なり、親受信装置に任意に接続され、センター装置のコンテンツを取得する可能性のある子受信装置は、将来の通信可能性をも考慮して、確実に管理することが望まれていた。
【００１０】
本発明は、以上の課題に鑑みてなされたもので、宅内ネットワークのような第２のネットワークを介して親受信装置越しにコンテンツを取得する可能性のある子受信装置をセンター装置側で確実に管理することが可能な装置管理システム等を提供することを目的とする。
【課題を解決するための手段】
【００１１】
上記の目的を達成するために、第１の本発明は、コンテンツを送信するセンター装置と、
子受信装置と、
前記センター装置と第１のネットワークを介して通信し、前記子受信装置と第２のネットワークを介して通信し、前記センター装置から送信される前記コンテンツを蓄積する蓄積部を有する、親受信装置とを備え、
前記子受信装置は、
前記親受信装置に対し前記コンテンツの送信要求を少なくとも行う要求送信部を有し、
前記親受信装置は、
前記送信要求を受ける要求受信部と、
前記送信要求を認証してその適否を決定する認証決定部と、
前記認証決定部が前記認証を適と決定した場合に前記コンテンツを前記子受信装置へ送信するコンテンツ送信部と、
前記認証決定部が前記認証を否と決定した場合に当該認証しなかった前記子受信装置に関する装置情報を前記センター装置へ送信する装置情報送信部とを有し、
前記センター装置は、
前記コンテンツを扱う装置に関する装置情報を管理する管理部を有する、装置管理システムである。
【００１２】
又、第２の本発明は、コンテンツを蓄積する蓄積部を有するとともに、第２のネットワークを介して子受信装置と通信する親受信装置に対し、第１のネットワークを介して通信する、前記コンテンツを送信するセンター装置であって、
前記コンテンツを扱う装置に関する装置情報を管理する管理部を備え、
前記装置情報は、
前記親受信装置が、前記子受信装置より前記親受信装置に対し行われた前記コンテンツの送信要求に対する認証を否と決定した場合に、前記親受信装置より、当該認証しなかった前記子受信装置に関するものとして前記センター装置へ送信される、センター装置である。
【００１３】
又、第３の本発明は、前記親受信装置から前記装置情報を受信すると、前記管理部に管理される装置情報に一致するかどうかを判断する装置情報判断部を備え、
前記装置情報判断部による判断結果が一致を示す場合は、前記判断結果に応じた通知を前記親受信装置に送信し、
前記通知は、前記親受信装置の前記認証決定部に前記子受信装置に対する前記認証を適として再決定させるとともに、前記コンテンツ送信部に前記コンテンツを前記子受信装置へ送信可能な状態とさせるものである、第２の本発明のセンター装置である。
【００１４】
又、第４の本発明は、前記親受信装置から前記装置情報を受信すると、前記管理部に管理される装置情報に一致するかどうかを判断する装置情報判断部を備え、
前記装置情報判断部による判断結果が一致しない旨を示す場合は、前記判断結果に応じた通知を前記親受信装置に送信し、
前記通知は、前記親受信装置に、前記センター装置への前記子受信装置の登録に関する登録情報を前記子受信装置へ送信させるものである、第２の本発明のセンター装置である。
【００１５】
又、第５の本発明は、前記親受信装置から前記装置情報を受信すると、前記管理部に管理される装置情報に一致するかどうかを判断する装置情報判断部と、
前記装置情報判断部による判断結果が一致しない旨を示す場合は、前記判断結果に応じた通知、及び前記センター装置への前記子受信装置の登録に関する登録情報を前記子受信装置へ送信する通知発行部とを備えた、第２の本発明のセンター装置である。
【００１６】
又、第６の本発明は、前記親受信装置から前記装置情報を受信すると、前記管理部に管理される装置情報に一致するかどうかを判断する装置情報判断部を備え、
前記装置情報判断部は、判断結果が一致しない旨を示す場合は、受信した前記装置情報が、前記管理部に不正装置を示す前記装置情報として管理されている不正装置情報に一致するかどうかを判断し、
前記不正装置情報に一致する場合は、その判断結果に応じた通知を前記親受信装置に送信し、
前記通知は、前記親受信装置の前記コンテンツ送信部に対し前記コンテンツの送信を禁止する状態とさせるものである、第２の本発明のセンター装置である。
【００１７】
又、第７の本発明は、前記親受信装置から前記装置情報を受信すると、前記管理部に管理される装置情報に一致するかどうかを判断する装置情報判断部を備え、
前記装置情報判断部は、判断結果が一致しない旨を示す場合は、受信した前記装置情報が、前記管理部に不正装置を示す前記装置情報として管理されている不正装置情報に一致するかどうかを判断し、
前記不正装置情報に一致する場合は、その判断結果に応じた通知を前記親受信装置に送信し、
前記通知は、前記子受信装置の全部又は一部の動作を正常でなくする制御命令である、第２の本発明のセンター装置である。
【００１８】
又、第８の本発明は、コンテンツを送信するとともに前記コンテンツを扱う装置に関する装置情報を管理する管理部を有するセンター装置と第１のネットワークを介して通信し、かつ子受信装置と第２のネットワークを介して通信する、前記センター装置から送信される前記コンテンツを蓄積する蓄積部を有する、親受信装置であって、
前記子受信装置から前記コンテンツの送信要求を受ける要求受信部と、
前記送信要求を認証してその適否を決定する認証決定部と、
前記認証決定部が前記認証を適と決定した場合に前記コンテンツを前記子受信装置へ送信するコンテンツ送信部と、
前記認証決定部が前記認証を否と決定した場合に当該認証しなかった前記子受信装置に関する装置情報を、前記センター装置へ送信する装置情報送信部とを備えた、親受信装置である。
【００１９】
又、第９の本発明は、前記センター装置が、送信した前記装置情報が前記管理部に管理される装置情報に一致するかどうかを判断し、一致する旨の判断結果に応じた通知を発信した場合、
前記認証決定部は、前記通知を受信すると、前記子受信装置に対する前記認証を適と再決定し、前記コンテンツ送信部は、前記コンテンツを前記子受信装置へ送信可能な状態とする、第８の本発明の親受信装置である。
【００２０】
又、第１０の本発明は、前記センター装置から、送信した前記装置情報が前記管理部に管理される装置情報に一致しない旨の判断結果に応じた通知を受信した場合に、前記センター装置への前記子受信装置の登録に関する登録情報を前記子受信装置へ送信する登録情報送信部を備えた、第９の本発明の親受信装置である。  
【００２１】
又、第１１の本発明は、前記子受信装置から前記登録情報に基づく登録完了通知を受信する通知受信部を備え、
前記認証決定部は、前記登録完了通知を受信すると、前記子受信装置をその装置情報とともに前記認証を適として再決定し、
前記コンテンツ送信部は、前記コンテンツを前記子受信装置へ送信可能な状態とする、第１０の本発明の親受信装置である。  
【００２２】
又、第１２の本発明は、前記子受信装置から、第５の本発明の前記センター装置が送信した前記登録情報に基づく登録完了通知を受信する通知受信部を備え、
前記認証決定部は、前記登録完了通知を受信すると、前記子受信装置をその装置情報とともに前記認証を適として再決定し、
前記コンテンツ送信部は、前記コンテンツを前記子受信装置へ送信可能な状態とする、第１０の本発明の親受信装置である。  
【００２３】
又、第１３の本発明は、前記センター装置からの通知を受信する通知受信部を備え、
前記通知受信部が、前記センター装置から、送信した前記装置情報が前記管理部に不正装置を示す前記装置情報として管理されている不正装置情報に一致する旨の判断結果に応じた通知を受信した場合、
前記コンテンツ送信部は、前記子受信装置に対する前記コンテンツの送信を禁止する、第８の本発明の親受信装置である。  
【００２４】
又、第１４の本発明は、前記センター装置からの通知を受信する通知受信部と、
前記通知受信部の受信した前記通知に応じて、前記子受信装置へ所定の通知を発行する通知発行部とを備え、
前記センター装置からの通知は、前記センター装置が、送信した前記装置情報が前記管理部に不正装置を示す前記装置情報として管理されている不正装置情報に一致するかどうかを判断し、一致する旨の判断結果に応じた場合の通知であり、
前記所定の通知は、前記子受信装置の全部又は一部の動作を正常でなくする制御命令である、第８の本発明の親受信装置である。  
【００２５】
又、第１５の本発明は、コンテンツを送信するとともに前記コンテンツを扱う装置に関する装置情報を管理する管理部を有するセンター装置と第１のネットワークを介して通信するとともに、前記センター装置から送信される前記コンテンツを蓄積する蓄積部を有する、親受信装置
と第２のネットワークを介して通信する子受信装置であって、
前記親受信装置に対し前記コンテンツの送信要求を少なくとも行う要求送信部を備え、
前記親受信装置は、前記送信要求を受けると前記送信要求を認証してその適否を決定し、前記認証を適と決定した場合に前記コンテンツを前記子受信装置へ送信し、前記認証を否と決定した場合に当該認証しなかった前記子受信装置に関する装置情報を前記センター装置へ送信する、子受信装置である。  
【００２６】
又、第１６の本発明は、前記親受信装置からの通知を受信する通知受信部を備え、
前記親受信装置が、前記センター装置による、送信した前記装置情報が前記管理部に管理される装置情報に一致しない旨の判断結果に応じた前記通知と、前記センター装置への前記子受信装置の登録に関する登録情報とを送信した場合、
前記通知受信部は、前記通知及び前記登録情報を受信する、第１５の本発明の子受信装置である。  
【００２７】
又、第１７の本発明は、前記センター装置からの通知を受信する通知受信部を備え、
前記センター装置が、前記親受信装置から送信された前記装置情報が前記管理部に管理される装置情報に一致するかどうかを判断し、一致しない旨の判断結果に応じた前記通知と、前記センター装置への前記子受信装置の登録に関する登録情報とを送信した場合、
前記通知受信部は、前記通知及び前記登録情報を受信する、第１５の本発明の子受信装置である。  
【００２８】
又、第１８の本発明は、前記親受信装置に対し、第５の本発明の前記センター装置が送信した前記登録情報に基づく登録完了通知を送信する通知送信部を備え、
前記登録完了通知は、前記親受信装置の前記認証決定部に前記子受信装置に対する前記認証を適として再決定させるとともに、前記コンテンツ送信部に前記コンテンツを前記子受信装置へ送信可能な状態とさせるものである、第１７の本発明の子受信装置である。  
【００２９】
又、第１９の本発明は、前記親受信装置に対し、前記登録情報に基づく登録完了通知を送信する通知送信部を備え、
前記登録完了通知は、前記親受信装置の前記認証決定部に前記子受信装置に対する前記認証を適として再決定させるとともに、前記コンテンツ送信部に前記コンテンツを前記子受信装置へ送信可能な状態とさせるものである、第１５の本発明の子受信装置である。  
【００３０】
又、第２０の本発明は、前記親受信装置からの通知を受信する通知受信部と、
前記通知受信部の受信した前記通知に応じて少なくとも前記要求送信部の動作を制御する動作制御部とを備え、
前記センター装置が、送信した前記装置情報が前記管理部に不正装置を示す前記装置情報として管理されている不正装置情報に一致するかどうかを判断し、一致する旨の判断結果に応じた前記通知を発信した場合、
前記動作制御部は、少なくとも前記要求送信部の動作を正常でなくする制御を行う、第１５の本発明の子受信装置である。  
【００３１】
又、第２１の本発明は、コンテンツを送信するセンター装置と、
子受信装置と、
前記センター装置と第１のネットワークを介して通信し、前記子受信装置と第２のネットワークを介して通信し、前記センター装置から送信されるコンテンツを前記子受信装置へ配信可能な親受信装置とを備え、
前記子受信装置は、
前記親受信装置に対し前記コンテンツの配信要求を少なくとも行う要求送信部を有し、
前記親受信装置は、
前記送信要求を受ける要求受信部と、
前記子受信装置に対し、前記送信要求を認証してその適否を決定する認証決定部と、
前記認証決定部が前記認証を適と決定した場合に、前記センター装置に対し前記コンテンツの送信を要求して前記子受信装置へ配信するコンテンツ配信部と、
前記認証決定部が前記認証を否と決定した場合に当該認証しなかった前記子受信装置に関する装置情報を前記センター装置へ送信する装置情報送信部とを有し、
前記センター装置は、
前記コンテンツを扱う装置に関する装置情報を管理する管理部を有する、装置管理システムである。  
【００３２】
又、第２２の本発明は、  第２のネットワークを介して子受信装置と通信する親受信装置に対し、第１のネットワークを介して通信する、前記コンテンツを送信するセンター装置であって、
前記コンテンツを扱う装置に関する装置情報を管理する管理部を備え、
前記装置情報は、
前記親受信装置が、前記子受信装置より前記親受信装置に対し行われた前記コンテンツの送信要求に対する認証を否と決定した場合に、前記親受信装置より、当該認証しなかった前記子受信装置に関するものとして前記センター装置へ送信される、センター装置である。  
【００３３】
又、第２３の本発明は、コンテンツを送信するとともに前記コンテンツを扱う装置に関する装置情報を管理する管理部を有するセンター装置と第１のネットワークを介して通信し、かつ子受信装置と第２のネットワークを介して通信する、親受信装置であって、
前記子受信装置から前記コンテンツの送信要求を受ける要求受信部と、
前記送信要求を認証してその適否を決定する認証決定部と、
前記認証決定部が前記認証を適と決定した場合に、前記センター装置に対し前記コンテンツの送信を要求して前記子受信装置へ配信するコンテンツ配信部と、
前記認証決定部が前記認証を否と決定した場合に当該認証しなかった前記子受信装置に関する装置情報を、前記センター装置へ送信する装置情報送信部とを備えた、親受信装置である。  
【００３４】
又、第２４の本発明は、コンテンツを送信するとともに前記コンテンツを扱う装置に関する装置情報を管理する管理部を有するセンター装置と第１のネットワークを介して通信する親受信装置
と第２のネットワークを介して通信する子受信装置であって、
前記親受信装置に対し前記コンテンツの送信要求を少なくとも行う要求送信部を備え、
前記親受信装置は、前記送信要求を受けると前記送信要求を認証してその適否を決定し、前記認証を適と決定した場合に前記コンテンツを前記子受信装置へ送信し、前記認証を否と決定した場合に当該認証しなかった前記子受信装置に関する装置情報を前記センター装置へ送信する、子受信装置である。  
【００３５】
又、第２５の本発明は、コンテンツを送信するセンター装置と、
子受信装置と、
前記センター装置と第１のネットワークを介して通信し、前記子受信装置と第２のネットワークを介して通信し、前記センター装置から送信される前記コンテンツを蓄積する蓄積部を有する、親受信装置とを用いた、装置管理方法であって、
前記子受信装置による、
前記親受信装置に対し前記コンテンツの送信要求を少なくとも行う要求送信工程と、
前記親受信装置による、
前記送信要求を受ける要求受信工程と、
前記送信要求を認証してその適否を決定する認証決定工程と、
前記認証決定工程により前記認証を適と決定した場合に前記コンテンツを前記子受信装置へ送信するコンテンツ送信工程と、
前記認証決定工程により前記認証を否と決定した場合に当該認証しなかった前記子受信装置に関する装置情報を前記センター装置へ送信する装置情報送信工程と、
前記センター装置による、
前記コンテンツを扱う装置に関する装置情報を管理する管理工程とを備えた、装置管理方法である。  
【００３６】
又、第２６の本発明は、コンテンツを送信するセンター装置と、
子受信装置と、
前記センター装置と第１のネットワークを介して通信し、前記子受信装置と第２のネットワークを介して通信し、前記センター装置から送信されるコンテンツを前記子受信装置へ配信可能な親受信装置とを用いた、装置管理方法であって、
前記子受信装置による、
前記親受信装置に対し前記コンテンツの配信要求を少なくとも行う要求送信工程と、
前記親受信装置による、
前記送信要求を受ける要求受信工程と、
前記子受信装置に対し、前記送信要求を認証してその適否を決定する認証決定工程と、
前記認証決定工程により前記認証を適と決定した場合に、前記センター装置に対し前記コンテンツの送信を要求して前記子受信装置へ配信するコンテンツ配信工程と、
前記認証決定工程により前記認証を否と決定した場合に当該認証しなかった前記子受信装置に関する装置情報を前記センター装置へ送信する装置情報送信工程と、
前記センター装置による、
前記コンテンツを扱う装置に関する装置情報を管理する管理工程とを備えた、装置管理方法である。  
【００３７】
又、第２７の本発明は、第２又は第２２の本発明のセンター装置の、前記コンテンツを扱う装置に関する装置情報を管理する前記管理部としてコンピュータを機能させるためのプログラムである。  
【００３８】
又、第２８の本発明は、第８又は第２３の本発明の親受信装置の、前記子受信装置から前記コンテンツの送信要求を受ける前記要求受信部と、前記送信要求を認証してその適否を決定する前記認証決定部と、前記認証決定部が前記認証を適と決定した場合に前記コンテンツを前記子受信装置へ送信する前記コンテンツ送信部と、前記認証決定部が前記認証を否と決定した場合に当該認証しなかった前記子受信装置に関する装置情報を、前記センター装置へ送信する前記装置情報送信部としてコンピュータを機能させるためのプログラムである。  
【００３９】
又、第２９の本発明は、第１５又は第２４の本発明の親受信装置の、前記親受信装置に対し前記コンテンツの送信要求を少なくとも行う前記要求送信部としてコンピュータを機能させるためのプログラムである。  
【００４０】
又、第３０の本発明は、第２７から第２９のいずれかの本発明のプログラムを記録した記録媒体であって、コンピュータにより処理可能な記録媒体である。  
【発明の効果】
【００４１】
以上のような本発明によれば、宅内ネットワークのような第２のネットワークを通じて介して親受信装置越しにコンテンツを取得する可能性のある子受信装置をセンター装置側で確実に管理することが可能となる。
【発明を実施するための最良の形態】
【００４２】
以下に、本発明を実施するための最良の形態について、図面を参照しながら説明する。
【００４３】
（実施の形態１）
図１は、本発明の実施の形態１におけるＣＡＴＶネットワークでの受信装置制御システムの構成を示すブロック図である。なお、第１のネットワークとしてＣＡＴＶネットワークを、第２のネットワークとして宅内のＬＡＮを例に挙げて説明を行なうが、ネットワークの形態に関しては特にこれに限定するものではない。
【００４４】
図１において、ＣＡＴＶ局１０には映像配信装置や通信装置などのセンター装置１００が配置されており、ＴＶ番組などの放送は映像配信装置から、ＩＰ通信などは通信装置からＣＡＴＶネットワーク３０を経由して利用者宅２０へ配信される。なお、図１においては放送と通信は便宜上別々に表しているが、実際は同一配線にそれぞれの信号を６４ＱＡＭ（Ｑｕａｄｒａｔｕｒｅ  Ａｍｐｌｉｔｕｄｅ  Ｍｏｄｕｌａｔｉｏｎ）変調して送信される。
【００４５】
利用者宅２０に配信された番組は親受信装置２００で受信され、利用者の操作に応じて内部の蓄積メディアに蓄積される。子受信装置３００は親受信装置２００に蓄積された番組の視聴を希望する場合、宅内ネットワーク、例えばＬＡＮ４０を通じて、親受信装置２００に接続要求を行い、接続が認められれば、ＬＡＮ４０を通じて蓄積された番組を視聴できるようになる。
【００４６】
以上のような親子受信装置サービスにおける各機器の構成及び動作について詳細に説明する。図２は本発明の実施の形態１におけるＣＡＴＶネットワークでの受信装置制御システムの各構成装置の機能を示すブロック図である。
【００４７】
センター装置１００において、コンテンツ送信手段１０１は映像等のコンテンツを外部から第１ネットワーク接続手段１０２へ送出する手段であり、第１ネットワーク接続手段１０２は、親受信装置２００とＣＡＴＶネットワーク３０を介して通信するためのインタフェースである。又、第１ネットワーク通信手段１０３は、親受信装置２００とコンテンツ以外のデータを通信するための手段である。又、親子ＩＤ保持手段１０４は、後述する親受信装置２００及び子受信装置３００をそれぞれ識別する親ＩＤ及び子ＩＤを保持する手段であり、親子ＩＤ比較手段１０５は、第１ネットワーク通信手段１０３から取得した親ＩＤ又は子ＩＤを親子ＩＤ保持手段１０４に保持した親ＩＤ又は子ＩＤと比較する手段であり、比較判定結果送信手段１０６は、親子ＩＤ比較手段１０５による比較結果を第１ネットワーク通信手段１０３へ出力する手段である。
【００４８】
次に、親受信装置２００において、第１ネットワーク接続手段２０１は、センター装置１００とＣＡＴＶネットワーク３０を介して通信するためのインタフェースである。コンテンツ受信手段２０２はセンター装置１００から配信されたコンテンツを蓄積する手段で、ＨＤＤ等により実現される。又、第２ネットワーク接続手段２０４は、子受信装置３００とＬＡＮ４０を介して通信するためのインタフェースである。又、ＩＤ比較手段２０５は、子受信装置３００から取得した子ＩＤを、後述する親子ＩＤ保持手段２０６に保持する子ＩＤと比較する手段である。又、接続許可送信手段２０７は、ＩＤ比較手段２０５の比較結果に基づいて、子受信装置３００に対して接続許可を送信する手段である。又、不一致ＩＤ送信手段２０８は、ＩＤ比較手段２０５の比較結果に基づいて、センター装置１００に対して比較結果に関する子ＩＤを第１ネットワーク通信手段２０９へ出力する手段である。第１ネットワーク通信手段２０９は、センター装置１００とコンテンツ以外のデータを通信するための手段であり、内蔵ケーブルモデム等により実現される。又、センターデータ解析処理手段２１０は、センター装置１００から受信したデータを解析処理する手段である。
【００４９】
次に、子受信装置３００において、ＩＤ保持手段３０１は、子受信装置３００自体のハードウェアの構成等に基づき一意に割り当てられた子ＩＤを保持する手段である。又、ＩＤ送信手段３０２は、ＩＤ保持手段３０１から読み出した子ＩＤを第２ネットワーク接続手段３０３へ送信する手段である。又、第２ネットワーク接続手段３０３は、親受信装置２００とＣＡＴＶネットワーク３０を介して通信するためのインタフェースであり、第２ネットワークデータ受信手段３０４は、親受信装置２００からコンテンツ又はその他の出他を受信する手段である。又、表示手段３０５はコンテンツその他のデータを映像信号として表示する手段である。
【００５０】
なお、センター装置１００と親受信装置２００の間のＣＡＴＶネットワーク３０及び親受信装置２００と子受信装置３００の間の宅内ＬＡＮ４０は図中点線にてそれぞれ示した。
【００５１】
以上の構成において、センター装置１００は本発明のセンター装置に相当し、親受信装置２００は本発明の親受信装置に相当し、子受信装置３００は本発明の子受信装置に相当する。又、センター装置１００において、親子ＩＤ保持手段１０４は本発明の管理部に相当し、親子ＩＤ比較手段１０５及び比較判定結果送信手段１０６は本発明の装置情報判断部に相当する。
【００５２】
又、センター装置１００において、親子ＩＤ保持手段１０４は本発明の管理部に相当し、親子ＩＤ比較手段１０５は、本発明の装置情報判断部に相当する。
【００５３】
又、親受信装置２００において、コンテンツ蓄積手段２０３は本発明の蓄積部に相当し、第２ネットワーク接続手段２０４は本発明の要求受信部に相当し、ＩＤ比較手段２０５、親子ＩＤ保持手段２０６及び接続許可送信手段２０７は本発明の認証決定部に相当し、コンテンツ蓄積手段２０３及び第２ネットワーク接続手段２０４は本発明のコンテンツ送信部に相当し、不一致ＩＤ送信手段２０８は本発明の装置情報送信部に相当する。又、第２ネットワーク接続手段２０４及びセンターデータ解析処理手段２１０は、本発明の登録情報送信部に相当する。
【００５４】
又、子受信装置３００において、ＩＤ送信手段３０２は本発明の要求送信部に相当し、第２ネットワーク接続手段３０３及び第２ネットワークデータ受信手段３０４は本発明の通知受信部に相当する。
【００５５】
以上の構成を有する本発明の実施の形態１の受信装置制御システムの動作を説明するとともに、これにより、本発明の装置管理方法の一実施の形態について説明を行う。
【００５６】
まず、親受信装置２００がセンター装置１００から送信された番組を受信して蓄積するまでの処理を、図２を参照しながら図３を用いて説明する。図３はセンター装置１００から送信された番組を受信して蓄積するまでの処理の流れを示す図である。
【００５７】
センター装置１００はＴＶ放送番組などをコンテンツ送信手段１０１からＣＡＴＶネットワーク３０へ第１ネットワーク接続手段１０２でＱＡＭ変調して送信する（Ｓ３０１）。
【００５８】
親受信装置２００ではチューナなどの第１ネットワーク接続手段２０１で番組を受信すると、コンテンツ受信手段２０２でデコード処理を行い、コンテンツ蓄積手段２０３に蓄積する。
【００５９】
続いて、子受信装置３００が親受信装置２００に蓄積された番組の視聴を希望して接続許可された場合の処理について示す。子受信装置３００は利用者からの要望により図示しないリモコンなどの制御信号入力部から親受信装置２００への接続要求が入力されると、ＩＤ保持手段３０１に保持している固有ＩＤ（子ＩＤ、以下、一例として＜ａａａａ＞とする）をＩＤ送信手段３０２で読み出して、第２ネットワーク接続手段３０３でＥｔｈｅｒｎｅｔ（登録商標）などの通信プロトコルに変換して、宅内ＬＡＮ４０を経由し、親受信装置２００に当該子ＩＤ＜ａａａａ＞を含む接続要求信号を送信する（Ｓ３０２）。
【００６０】
親受信装置２００では、第２ネットワーク接続手段２０４で子受信装置３００からの接続要求を受信すると、そこから子ＩＤを読み出しＩＤ比較手段２０５に送信する。
【００６１】
ＩＤ比較手段２０５では、親子ＩＤ保持手段２０６に格納されている子ＩＤを読み出し、受信した子ＩＤ＜ａａａａ＞に該当する子ＩＤが存在するかを確認する。存在すれば接続許可送信手段２０７では第２ネットワーク接続手段２０４から子受信装置３００に対して、接続許可信号を送信し、以降コンテンツ蓄積手段２０３の内容を制御可能とする（Ｓ３０３）。
【００６２】
子受信装置３００では、親受信装置２００から接続許可信号を受信すると、宅内ＬＡＮ４０を経由して親受信装置２００のコンテンツ蓄積手段２０３にアクセスして番組情報を受信し（Ｓ３０４）、ユーザが番組情報に基づき選択した所望の番組の再生を指示する（Ｓ３０５）。再生が開始されると、第２ネットワーク接続手段２０４から、例えばＩＰストリーミングの形態で宅内ＬＡＮ４０を通じて子受信装置３００に番組が配信され（Ｓ３０６）、子受信装置３００では第２ネットワークデータ受信手段３０４で受信、デコードし、表示手段３０５で表示する。
【００６３】
なお、表示手段３０５は子受信装置３００の外側にあってもよく、その場合には、表示手段３０５は外部表示手段で表示するための信号変換及び該変換後の信号出力を行う手段として機能する。
【００６４】
続いて、子受信装置３００が親受信装置２００に蓄積された番組の視聴を希望し、接続が失敗した場合の処理について、図２を参照しながら図４を用いて説明する。図４は子受信装置３００が親受信装置２００に蓄積された番組の視聴を希望し、接続が失敗した場合の処理の流れを示す図である。
【００６５】
親受信装置２００では、第２ネットワーク接続手段２０４で子受信装置３００からの接続要求を受信すると（Ｓ３０２）、子ＩＤを読み出し、ＩＤ比較手段２０５に送信する。ＩＤ比較手段２０５では、親子ＩＤ保持手段２０６に格納されている子ＩＤを読み出し、受信した子ＩＤ＜ａａａａ＞に該当する子ＩＤが存在するかを確認する。存在しない場合、不一致ＩＤ送信手段２０８では不一致だった子ＩＤ＜ａａａａ＞と親受信装置のＩＤ（親ＩＤ、以下一例として＜ｂｂｂｂ＞とする）を第１ネットワーク通信手段２０９から第１ネットワーク接続手段を通じて、ＣＡＴＶネットワーク３０経由でセンター装置１００に送信する（Ｓ４０７）。
【００６６】
センター装置１００では、第１ネットワーク接続手段１０２を通じて、第１ネットワーク通信手段で子ＩＤ＜ａａａａ＞と親ＩＤ＜ｂｂｂｂ＞を受信し、親子ＩＤ比較手段１０５に送信する。親子ＩＤ比較手段１０５では親子ＩＤ保持手段１０４に保持されている親子ＩＤと受信した親子それぞれのＩＤを比較する。もし、親子ＩＤ保持手段１０４に親ＩＤ＜ｂｂｂｂ＞と子ＩＤ＜ａａａａ＞が紐付けされて格納されていれば、子ＩＤ＜ａａａａ＞を有する子受信装置３００は本来認証されるべき子受信装置として、比較判定結果送信手段１０６では認証許可の一致情報を第１ネットワーク接続手段１０２経由で親受信装置２００に送信する（Ｓ４０８）。
【００６７】
親受信装置２００のセンターデータ解析処理手段２１０では第１ネットワーク通信手段２０９経由で受信した認証許可の一致情報を確認すると、第２ネットワーク接続手段２０４を通じて子受信装置３００に接続許可を送信すると共に（Ｓ４０３）、親子ＩＤ保持手段２０６に子ＩＤ＜ａａａａ＞を追加設定する。以降は親受信装置２００で接続許可された場合、即ち図３と同様の処理となる。
【００６８】
図４の動作において、子ＩＤ＜ａａａａ＞が親受信装置２００には格納されていないが、センター装置１００に格納されている場合としては、親受信装置２００を交換した場合、センター装置１００が配置されたＣＡＴＶ事業者と子受信装置３００のユーザとが視聴契約することにより親子ＩＤ保持手段１０４に子ＩＤが設定されたが、親受信装置２００には未設定である場合、等が考えられる。
【００６９】
本実施の形態では、図４に示す動作を行わせることにより、親受信装置２００が子ＩＤを保持していない場合でも、センター装置１００により認証を行うことができ、センター装置１００による子受信装置３００の管理を実現することができる。
【００７０】
続いて、子受信装置３００が親受信装置２００に蓄積された番組の視聴を希望して接続が失敗し、センター装置１００にも子ＩＤ＜ａａａａ＞が存在しない場合の処理について、図２を参照しながら図５を用いて説明する。図５は子受信装置３００が親受信装置２００に蓄積された番組の視聴を希望して接続が失敗しセンター装置１００にも子ＩＤ＜ａａａａ＞が存在しない場合の処理の流れを示す図である。
【００７１】
Ｓ４０７までは図４の説明と同じであるので省略する。センター装置１００の親子ＩＤ保持手段１０４に子ＩＤ＜ａａａａ＞が全く存在しない場合は、比較判定結果送信手段１０６は、当該子ＩＤ＜ａａａａ＞を送信した子受信装置３００を、初めて接続を試みる新規の子受信装置と認識し、親受信装置２００に不一致情報を送信する（Ｓ５０８）。
【００７２】
親受信装置２００のセンターデータ解析処理手段２１０では、第１ネットワーク通信手段２０９経由で受信した不一致情報を確認すると、第２ネットワーク接続手段２０４を通じて子受信装置３００に接続の仮許可を与え（Ｓ５０９）、子受信装置３００のユーザに接続登録手順を示す登録情報を送信する（Ｓ５１０）。
【００７３】
子受信装置３００では親受信装置２００から送信された登録情報を受信すると、子受信装置３００のユーザが当該登録情報に沿って、所定の処理をすることで、正規の登録が完了する。
【００７４】
なお、登録情報としては、子受信装置３００をセンター装置１００を管理するＣＡＴＶの管理者に対して登録させるためのユーザの登録操作手順を示す静止画情報などがあり、内容や表示方法については特に限定しない。内容の一例としては、はがきや電子メール等の手段による手続の案内、及び手続相手の宛先の表示が挙げられる。
【００７５】
当該通知に応じた手続がなされ、子受信装置３００のＩＤがセンター装置１００の親子ＩＤ保持手段１０４に記録されると、図４の場合と同様にして、センター装置１００経由で子受信装置３００は認証され、親受信装置２００の蓄積するコンテンツを受信することが可能となる。
【００７６】
なお、子受信装置３００が親受信装置２００に蓄積された番組の視聴を希望し、接続が失敗し、センター装置１００には子ＩＤ＜ａａａａ＞が存在するが、親ＩＤ＜ｂｂｂｂ＞と紐付けされていない場合に関しては、認証権利があると判断して、図４の処理を行なってもよいし、新たに設定が必要であると判断して、図５の処理を行なってもよい。
【００７７】
本実施の形態における、親受信装置２００の処理の流れについて図６を用いて説明する。
【００７８】
親受信装置２００はセンター装置１００から配信される番組を受信すると（Ｓ６０１）、利用者の指示に応じて受信番組を録画する（Ｓ６０２）。子受信装置３００から接続要求を受信すると（Ｓ６０３）、自身に接続可能な子受信装置のＩＤを親子ＩＤ保持手段２０６から読出し、子受信装置３００から送られてきた子ＩＤを比較する（Ｓ６０４）。もし、ＩＤが一致すれば（Ｓ６０５）、子受信装置３００に接続許可を与え、蓄積番組を子受信装置３００からの要求に沿って配信する（Ｓ６１０）。もし、子ＩＤが一致しなければ（Ｓ６０５）、センター装置１００へ不一致情報として親子ＩＤ（親ＩＤ及び子ＩＤ）を送信する（Ｓ６０６）。
【００７９】
不一致情報送信に対するセンター装置１００から処理情報を受信し（Ｓ６０７）、処理情報をセンター装置１００で子ＩＤが登録されていれば（Ｓ６０８）、子受信装置３００に接続許可を与え、蓄積番組を子受信装置３００からの要求に沿って配信する（Ｓ６１０）。処理情報をセンター装置１００でＩＤが登録されていなければ（Ｓ６０８）、子受信装置３００に接続の仮許可を与え登録情報を配信し（Ｓ６０９）、登録処理が完了すれば、子受信装置３００に接続許可を与え、蓄積番組を子受信装置３００からの要求に沿って配信する（Ｓ６１０）。
【００８０】
以上のように、本発明の実施の形態１におけるＣＡＴＶネットワークでの受信装置制御システムによれば、子受信装置が親受信装置にとって接続対象として認証されていない場合でも、センター装置が自ら再認証を行う、又は新規な接続対象として認証し、その旨をセンター装置に登録させるようにしたことにより、宅内ＬＡＮに接続される子受信装置を確実に管理することができる。
【００８１】
（実施の形態２）
本発明の実施の形態２におけるＣＡＴＶネットワークでの受信装置制御システムを構成するセンター装置１００は、本発明の実施の形態１におけるセンター装置１００と同様の構成に加え、さらに、子受信装置３００へ直接通信できる構成としたことを特徴とする。
【００８２】
又、本発明の実施の形態２におけるＣＡＴＶネットワークでの受信装置制御システムを構成する子受信装置３００は、本発明の実施の形態１における子受信装置３００と同様の構成に加え、さらに、センター装置１００と直接通信できる構成としたことを特徴とする。
【００８３】
以下、図７を参照しながら図８を用いて、本発明の実施の形態２における受信装置制御システムについて説明する。なお、図７は本発明の実施の形態２におけるＣＡＴＶネットワークでの受信装置制御システムの各構成装置の機能を示すブロック図であり、図８は、本発明の実施の形態２における子受信装置３００が親受信装置２００に蓄積された番組の視聴を希望して接続が失敗しセンター装置１００にも子ＩＤ＜ａａａａ＞が存在しない場合の処理の流れを示す図である。
【００８４】
図７において親受信装置２００の構成は簡略化して一部機能ブロックのみ記載しているが図２の本発明の親受信装置２００と同様の構成である。
【００８５】
又、センター装置１００は、図２の各構成に加えて、子受信装置３００へ直接情報を送信する登録情報送信手段１０７をさらに備えている。
【００８６】
又、子受信装置３００は、図２の各構成に加えて、ＣＡＴＶネットワーク３０へ直接接続する手段である第１ネットワーク接続手段３０６を備えている。第１ネットワーク接続手段３０６は例えばケーブルモデム等により実現される。
【００８７】
なお、上記の構成において、登録情報送信手段１０７及び第１ネットワーク通信手段１０３は、本発明の通知発行部に相当する。又、第１ネットワーク接続手段３０６及び第２ネットワークデータ受信手段は本発明の通知受信部に相当する。
【００８８】
以上の構成を有する本発明の実施の形態２の受信装置制御システムの動作を説明するとともに、これにより、本発明の装置管理方法の一実施の形態について説明を行う。ただし、本発明の実施の形態１における受信装置制御システムと同様の処理、動作については説明を省略し、ここではセンター装置１００で子ＩＤ＜ａａａａ＞が登録されていない場合の子受信装置３００への登録情報を送信するための処理などについて説明する。
【００８９】
センター装置１００では、親受信装置２００から子ＩＤの不一致情報を受信し（Ｓ４０７）、親子ＩＤ保持手段１０４にも子ＩＤ＜ａａａａ＞が登録されていない場合は、センター装置１００は登録情報送信手段１０７からＣＡＴＶネットワーク３０を通じて、子受信装置３００にセンター装置１００への接続の仮許可（Ｓ８０９）と登録情報を配信する（Ｓ８１０）。子受信装置３００では、ＣＡＴＶネットワーク３０から第１ネットワーク接続手段３０６を介して登録情報を受信する。以降は本発明の実施の形態１と同じである。
【００９０】
これにより、子受信装置３００がケーブルモデム内蔵などで、ＣＡＴＶネットワーク３０に直接接続できる場合は、登録処理をセンター装置１００から受信することも可能となる。このような構成は、子受信装置３００として、親受信装置２００と同一種類の装置である場合に好適である。
【００９１】
（実施の形態３）
本発明の実施の形態３におけるＣＡＴＶネットワークでの受信装置制御システムを構成する親受信装置２００及び子受信装置３００は、本発明の実施の形態１における親受信装置２００、子受信装置３００と同様の構成に加え、さらに、両者の間で自動的に認証のための登録（以下「認証登録」と略する）を行わせる構成としたことを特徴とする。
【００９２】
以下、図９を参照しながら図１０を用いて、本発明の実施の形態３における受信装置制御システムについて説明する。なお、図９は本発明の実施の形態３におけるＣＡＴＶネットワークでの受信装置制御システムの各構成装置の機能を示すブロック図であり、図１０は、本発明の実施の形態３における子受信装置３００が親受信装置２００に蓄積された番組の視聴を希望して接続が失敗しセンター装置１００にも子ＩＤ＜ａａａａ＞が存在しない場合の処理の流れを示す図である。
【００９３】
図９においてセンター装置１００の構成は簡略化して一部機能ブロックのみ記載しているが図２記載のセンター装置１００と同様の構成である。
【００９４】
又、親受信装置２００は、図２の各構成に加えて、子受信装置３００に対し、後述する接続登録情報を送信する接続登録情報送信手段２１１をさらに備える。
【００９５】
又、子受信装置３００は、図２の各構成に加えて、親受信装置２００に対し、認証登録を行うための登録情報設定手段３０７をさらに備える。
【００９６】
なお、上記の構成において、第２ネットワーク接続手段２０４は、本発明の通知受信部に相当する。又、接続登録情報送信手段２１１は、本発明の登録情報送信部に相当する。
【００９７】
又、登録情報設定手段３０７及び第２ネットワーク接続手段３０３は、本発明の通知送信部に相当する。
【００９８】
以上の構成を有する本発明の実施の形態３の受信装置制御システムの動作を説明するとともに、これにより、本発明の装置管理方法の一実施の形態について説明を行う。ただし、本発明の実施の形態１における受信装置制御システムと同様の処理、動作については説明を省略し、ここではセンター装置１００で子ＩＤ＜ａａａａ＞が登録されていない場合の子受信装置３００への接続登録情報を送信するための処理などについて説明する。
【００９９】
センター装置１００では、親受信装置２００から子ＩＤの不一致情報を受信し（Ｓ４０７）、親子ＩＤ保持手段１０４にも子ＩＤ＜ａａａａ＞が登録されていない場合は、接続許可送信手段２０７は、当該子ＩＤ＜ａａａａ＞を送信した子受信装置３００を、初めて接続を試みる新規の子受信装置と認識し、親受信装置２００に不一致情報を送信する（Ｓ５０８）。
【０１００】
親受信装置２００のセンターデータ解析処理手段２１０では第１ネットワーク通信手段２０９経由で受信した不一致情報を確認すると、接続登録情報送信手段２１１に対して接続登録情報を送信するよう指示する。接続登録情報送信手段２１１では、第２ネットワーク接続手段２０４を通じて子受信装置３００に接続の仮許可を与え（Ｓ５０９）、接続登録情報を送信する（Ｓ５１０）。ここで、接続登録情報は、実施の形態１の登録情報の内容を、親受信装置２００と子受信装置３００との間で電子的に処理可能なデータとしたものであり、本発明の登録情報の一例である。
【０１０１】
子受信装置３００では、第２ネットワーク接続手段３０３により接続登録情報を受信すると、これに応じて、ユーザが、登録情報設定手段３０７により登録情報を設定する。設定完了の通知は、親受信装置２００へ送信される。ここで設定完了の通知は、本発明の登録完了通知に相当する。
【０１０２】
設定完了後、親受信装置２００に設定完了を通知すると（Ｓ１００１）、親受信装置２００では、親子ＩＤ保持手段２０６に子ＩＤ＜ａａａａ＞を追加設定し、子受信装置３００に対して接続許可を送信する（Ｓ１００３）。なお、子受信装置３００で設定される情報とは、子ＩＤ＜ａａａａ＞を親子ＩＤ保持手段２０６に保持するために必要な情報であれば、親受信装置の親ＩＤであったり、設定された日時であったり、設定回数などであり、特に限定しない。
【０１０３】
以降は本発明の実施の形態１と同じである。
【０１０４】
本実施の形態によれば、子受信装置３００が親受信装置２００に登録されていない場合でも親受信装置２００からの設定で自動的に認証登録し、接続することが可能となる。
【０１０５】
（実施の形態４）
本発明の実施の形態４におけるＣＡＴＶネットワークでの受信装置制御システムを構成するセンター装置１００は、本発明の実施の形態１におけるセンター装置１００と同様の構成に加え、さらに、子受信装置３００へ、実施の形態３に示した接続登録情報を直接送信できる構成としたことを特徴とする。
【０１０６】
又、本発明の実施の形態４におけるＣＡＴＶネットワークでの受信装置制御システムを構成する子受信装置３００は、本発明の実施の形態１における子受信装置３００と同様の構成に加え、さらに、センター装置１００に対する直接通信により認証登録を行うことができる構成としたことを特徴とする。
【０１０７】
以下に、図１１を参照しながら図１２を用いて、本発明の実施の形態４における受信装置制御システムについて説明する。なお、図１１は本発明の実施の形態３におけるＣＡＴＶネットワークでの受信装置制御システムの各構成装置の機能を示すブロック図であり、図１２は、本発明の実施の形態４における子受信装置３００が親受信装置２００に蓄積された番組の視聴を希望して接続が失敗しセンター装置１００にも子ＩＤ＜ａａａａ＞が存在しない場合の処理の流れを示す図である。
【０１０８】
図１１において親受信装置２００の構成は簡略化して一部機能ブロックのみ記載しているが図２記載の親受信装置２００と同様の構成である。
【０１０９】
又、センター装置１００は、図２の各構成に加えて、接続登録情報を直接子受信装置３００へ送信する接続登録情報送信手段１０８をさらに備えている。
【０１１０】
又、子受信装置３００は、図２の各構成に加えて、ＣＡＴＶネットワーク３０へ直接接続する手段である第１ネットワーク接続手段３０６、及びセンター装置１００に対し、認証登録を行うための登録情報設定手段３０７をさらに備えている。実施の形態２と同様、第１ネットワーク接続手段３０６は例えばケーブルモデム等により実現される。
【０１１１】
なお、上記の構成において、接続登録情報送信手段１０８及び第１ネットワーク通信手段１０３は、本発明の通知発行部に相当する。
【０１１２】
又、第１ネットワーク接続手段３０６は本発明の通知受信部に相当し、登録情報設定手段３０７及び第２ネットワーク接続手段３０３は、本発明の通知送信部に相当する。
【０１１３】
以上の構成を有する本発明の実施の形態４の受信装置制御システムの動作を説明するとともに、これにより、本発明の装置管理方法の一実施の形態について説明を行う。ただし、本発明の実施の形態１における受信装置制御システムと同様の処理、動作については説明を省略し、ここではセンター装置１００で子ＩＤ＜ａａａａ＞が登録されていない場合の子受信装置３００への接続登録情報を送信するための処理などについて説明する。
【０１１４】
センター装置１００では、親受信装置２００から子ＩＤの不一致情報を受信し（Ｓ４０７）、親子ＩＤ保持手段１０４にも子ＩＤ＜ａａａａ＞が登録されていない場合は、接続許可送信手段２０７は、当該子ＩＤ＜ａａａａ＞を送信した子受信装置３００を、初めて接続を試みる新規の子受信装置と認識し、接続登録情報送信手段１０８に対して接続登録情報を送信するよう指示する。接続登録情報送信手段１０８では、第１ネットワーク接続手段１０２を通じて子受信装置３００に接続の仮許可を与え（Ｓ８０８）、接続登録情報を送信する（Ｓ１２１０）。ここで接続登録情報の内容は、実施の形態３と同様であり、センター装置１００と子受信装置３００との間での設定を行う点のみ異なる。
【０１１５】
子受信装置３００では、第１ネットワーク接続手段３０６により接続登録情報を受信すると、これに応じて、ユーザが、登録情報設定手段３０７により登録情報を設定する。設定完了の通知は、センター装置１００へ送信される。
【０１１６】
設定完了後、親受信装置２００にセンター装置１００からの指示で設定が完了を通知すると（Ｓ１２１１）、親受信装置２００では、親子ＩＤ保持手段２０６に子ＩＤ＜ａａａａ＞を追加設定し、子受信装置３００に対して接続許可を送信する（Ｓ１００３）。
【０１１７】
以降の動作は本発明の実施の形態３と同じである。
【０１１８】
本実施の形態によれば、子受信装置３００が親受信装置２００に登録されていない場合でもセンター装置１００からの設定で自動的に登録し、接続することが可能となる。
【０１１９】
（実施の形態５）
本発明の実施の形態５におけるＣＡＴＶネットワークでの受信装置制御システムを構成するセンター装置は、本発明の実施の形態１におけるセンター装置１００と同様の構成に加え、さらに、不正に入手され、親受信装置に接続された子受信装置によるコンテンツの受信を防ぐことができる構成としたことを特徴とする。
【０１２０】
以下に、図１３を用いて、本発明の実施の形態５における受信装置制御システムについて説明する。なお、図１３は本発明の実施の形態５におけるＣＡＴＶネットワークでの受信装置制御システムの各構成装置の機能を示すブロック図である。
【０１２１】
図１３において子受信装置３００の構成は簡略化して一部機能ブロックのみ記載しているが図２記載の子受信装置３００と同様の構成である。又、親受信装置２００の構成は図２記載のものと同様である。
【０１２２】
又、センター装置１００は、図２の各構成に加えて、不正な動作を行なった履歴のある子ＩＤを保持しておく不正子ＩＤ保持手段１０９をさらに備えている。
【０１２３】
なお、不正子ＩＤ保持手段１０９は、本発明の管理部に含まれ、不正子ＩＤは本発明の不正装置情報に相当する。
【０１２４】
以上の構成を有する本発明の実施の形態５の受信装置制御システムの動作を説明する。ただし、本発明の実施の形態１における受信装置制御システムと同様の処理、動作については説明を省略し、ここでは、子受信装置３００が子ＩＤ＜ｃｃｃｃ＞を有し、この子ＩＤで親受信装置２００に対し認証を要求し、かつセンター装置１００で不正子ＩＤ保持手段１０９に子ＩＤ＜ｃｃｃｃ＞が登録されている場合の親受信装置２００へ通知するための処理などについて説明する。
【０１２５】
センター装置１００の親子ＩＤ比較手段１０５では、親受信装置２００から子ＩＤの不一致情報を受信する。子受信装置３００の子ＩＤ＜ｃｃｃｃ＞が親子ＩＤ保持手段１０４に登録されていない場合、不正子ＩＤ保持手段１０９から不正子ＩＤを読み出す。不正子ＩＤ保持手段１０９にも子ＩＤ＜ｃｃｃｃ＞が登録されていない場合は、本発明の実施の形態１の図５記載の動作例と同様の処理を行なう。この場合、子ＩＤ＜ｃｃｃｃ＞を有する子受信装置３００は、正規かつ新規の子受信装置ということになる。
【０１２６】
不正子ＩＤ保持手段１０９に子ＩＤ＜ｃｃｃｃ＞が登録されている場合は、子ＩＤ＜ｃｃｃｃ＞を有する子受信装置３００は、不正装置ということになる。
【０１２７】
ここで不正装置とは、例えば盗難にあった子受信装置であって、盗難の旨が元のユーザからセンター装置１００の管理者に届けられたことにより、不正子ＩＤ保持手段１０９に子ＩＤが登録されたものである。
【０１２８】
不正装置と認識されると、親子ＩＤ比較手段１０５は、比較判定結果送信手段１０６に対して不正子ＩＤであることを送信するよう指示し、比較判定結果送信手段１０６では、第１ネットワーク接続手段１０２を通じて親受信装置２００のセンターデータ解析処理手段２１０に対して、不一致情報に係る子ＩＤ＜ｃｃｃｃ＞が不正子ＩＤである旨の通知を送信する。
【０１２９】
親受信装置２００において、当該旨の通知を受信すると、センターデータ解析処理手段２１０は第２ネットワーク接続手段２０４に対して、不正子ＩＤである子ＩＤ＜ｃｃｃｃ＞を含む認証要求に対しては、今後は接続不許可となるよう指示する。
【０１３０】
本実施の形態によれば、以上のような構成としたことで、不正な子ＩＤを有する不正装置から接続要求された場合、センター装置１００で不正子ＩＤを管理し、親受信装置２００はセンター装置１００との間で不正子ＩＤの比較を行うので、不正装置は、任意の親受信装置２００に対しても接続不許可とすることが可能となる。
【０１３１】
なお、接続不許可する方法は、単に動作しない状態においてもよいし、子受信装置３００に対して不許可メッセージを送信してもよいし、特に限定しない。又、不許可処理の内容はセンター装置１００から指示してもよいし、不正子ＩＤであることをセンター装置１００から通知された親受信装置２００が通知するよう設定してもよい。
【０１３２】
又、本実施の形態では実施の形態１を例に説明したが、実施の形態２から実施の形態４に組み合わせても同様の効果が得られる。
【０１３３】
（実施の形態６）
本発明の実施の形態６におけるＣＡＴＶネットワークでの受信装置制御システムを構成する子受信装置は、本発明の実施の形態５における子受信装置３００と同様の構成に加え、さらに、外部からの信号で各処理手段を制御する構成としたことを特徴とする。
【０１３４】
以下に、図１４を用いて、本発明の実施の形態６における受信装置制御システムについて説明する。なお、図１４は本発明の実施の形態６におけるＣＡＴＶネットワークでの受信装置制御システムの各構成装置の機能を示すブロック図である。
【０１３５】
図１４において親受信装置２００の構成は簡略化して一部機能ブロックのみ記載しているが図１３記載の子受信装置３００と同様の構成である。又、センター装置１００の構成は図１３記載のものと同様である。
【０１３６】
又、子受信装置３００は、図１４の各構成に加えて、ＩＤ保持手段３０１〜表示手段３０５の各手段の動作を制御する制御手段３０８をさらに備えている。
【０１３７】
なお、上記の構成において、第２ネットワーク接続手段２０４及びセンターデータ解析処理手段２１０は、本発明の通知発行部に相当する。又、制御手段３０８は本発明の動作制御部に相当する。
【０１３８】
以上の構成を有する本発明の実施の形態５の受信装置制御システムの動作を説明する。ただし、本発明の実施の形態５における受信装置制御システムと同様の処理、動作については説明を省略し、ここではセンター装置１００で不正子ＩＤ保持手段１０９に子ＩＤ＜ｃｃｃｃ＞が登録されている場合の子受信装置３００での制御処理などについて説明する。
【０１３９】
センター装置１００の親子ＩＤ比較手段１０５では、親受信装置２００から子ＩＤの不一致情報を受信する。子受信装置３００の子ＩＤ＜ｃｃｃｃ＞が親子ＩＤ保持手段１０４に登録されていない場合、不正子ＩＤ保持手段１０９から不正子ＩＤを読み出す。不正子ＩＤ保持手段１０９にも子ＩＤ＜ｃｃｃｃ＞が登録されていない場合は、本発明の実施の形態１の図５記載の動作例と同様の処理を行なう。
【０１４０】
不正子ＩＤ保持手段１０９に子ＩＤ＜ｃｃｃｃ＞が登録されている場合は、子ＩＤ＜ｃｃｃｃ＞を有する子受信装置３００は、不正装置ということになるので、実施の形態５と同様、親受信装置２００のセンターデータ解析処理手段２１０に対して、不一致情報に係る子ＩＤ＜ｃｃｃｃ＞が不正子ＩＤである旨の通知を送信する。
【０１４１】
親受信装置２００において、当該旨の通知を受信すると、データ解析処理手段２１０は第２ネットワーク接続手段２０４を通じて、子受信装置３００に、先に行った接続要求に係る子ＩＤ＜ｃｃｃｃ＞が不正子ＩＤである旨を通知する。
【０１４２】
子受信装置３００では第２ネットワークデータ受信手段３０４で不正子ＩＤである旨の通知を受信すると、これを制御手段３０８に通知する。制御手段３０８では、例えば第２ネットワーク接続手段３０３やＩＤ送信手段３０２を制御して、以降接続要求が出せないようにしたり、表示手段３０５に対して一切表示内容にしたり、あるいは不正装置であるように表示させたり、ＩＤ保持手段３０１に対して保持ＩＤを全てクリアする、等の制御を行い、今後子受信装置３００が正常な動作を実行できなくする。
【０１４３】
本実施の形態によれば、以上のような構成としたことで、不正な子ＩＤを有する不正装置から接続要求された場合、センター装置１００で不正子ＩＤを管理し、親受信装置２００はセンター装置１００との間で不正子ＩＤの比較を行うので、不正装置は、任意の親受信装置２００に対しても正常に動作できないようにすることが可能となる。
【０１４４】
なお、接続不許可する方法は、特に限定しない。又、不許可処理の内容はセンター装置１００から指示してもよいし、不正子ＩＤであることをセンター装置１００から通知された子受信装置３００が設定してもよい。
【０１４５】
又、制御手段３０８による制御動作は、上述のように、子受信装置３００を構成する各手段のいずれを正常動作させなくするものであってもよいが、少なくともＩＤ送信手段３０２の動作を不可能と制御することにより、親受信装置２００に対してコンテンツの要求を行うことができなくなり、親受信装置２００が蓄積するコンテンツの不正な視聴を防ぐことが可能となる。
【０１４６】
又、本実施の形態では実施の形態５を例に説明したが、実施の形態１から実施の形態４に組み合わせても同様の効果が得られる。
【０１４７】
なお、本発明の実施の形態２あるいは実施の形態４から実施の形態６で子受信装置３００が第１のネットワークであるＣＡＴＶネットワークに接続されている場合、実施の形態で説明した、親受信装置２００に蓄積されている放送番組のほかに、地上波放送の再送信番組が視聴可能な場合は、再送信番組などセンター装置１００から直接送信される番組の視聴あるいは受信も、親受信装置２００で認証を受けてからでないと視聴できないような制御を行なうことも可能である。この場合、子受信装置３００では第２ネットワークデータ受信手段３０４にタイマを設け、電源投入後、認証結果が親受信装置２００から返ってこなくてもタイマの計測による一定時間は視聴可能であるように設定すると、正しく認証された場合は電源投入後から違和感なく視聴することが可能となる。このとき、親受信装置２００から認証を受けないと受信できないサービスは再送信番組に限定しない。
【０１４８】
なお、本発明の実施の形態１から６では、親受信装置２００に蓄積した放送番組を子受信装置３００で受信するために認証を行なっていたが、図１５に示すように、親受信装置２００ではコンテンツ蓄積手段２０３の代わり、あるいは同時にコンテンツフォーマット手段２１２を備えた構成とし、第１のネットワークであるＣＡＴＶネットワークのＱＡＭ変調された信号を第２のネットワークである宅内ＬＡＮのＥｔｈｅｒｎｅｔに準拠したＩＰパケットに変換することで子受信装置３００は第１のネットワークであるＣＡＴＶネットワーク３０の番組をほぼリアルタイムに視聴することが可能となる。この場合、第１のネットワークに準拠したフォーマットと第２のネットワークに準拠したフォーマットは特に限定しない。
【０１４９】
又、本発明の実施の形態１から６では、親受信装置２００が１台に対して子受信装置３００は１台で説明したが、複数台接続されていても同様の効果が得られる。
【０１５０】
又、本発明の実施の形態１から６では、センター装置１００が１台に対して親受信装置２００は１台で説明したが、複数台接続されていても同様の効果が得られる。
【０１５１】
又、上記の実施の形態１から６では、センター装置１００は、親受信装置２００の親ＩＤと子受信装置３００の子ＩＤを紐付けして親子ＩＤ保持手段１０４に保持するものとしたが、本発明の装置情報の管理は、これに限定されるものではなく、親受信装置の有する装置情報と、子受信装置の装置情報とは、独立して管理されるものとしてもよい。
【０１５２】
なお、本発明にかかるプログラムは、上述した本発明のセンター装置、親受信装置、子受信装置のそれぞれの全部または一部の手段の機能をコンピュータにより実行させるためのプログラムであって、コンピュータと協働して動作するプログラムであってもよい。
【０１５３】
又、本発明は、上述した本発明のセンター装置、親受信装置、子受信装置のそれぞれの全部または一部の手段の全部または一部の機能をコンピュータにより実行させるためのプログラムを担持した媒体であり、コンピュータにより読み取り可能且つ、読み取られた前記プログラムが前記コンピュータと協動して前記機能を実行する媒体であってもよい。
【０１５４】
なお、本発明の上記「一部の手段」とは、それらの複数の手段の内の幾つかの手段を意味し、あるいは、一つの手段の内の一部の機能を意味するものである。
【０１５５】
又、本発明のプログラムを記録した、コンピュータに読みとり可能な記録媒体も本発明に含まれる。
【０１５６】
又、本発明のプログラムの一利用形態は、コンピュータにより読み取り可能な記録媒体に記録され、コンピュータと協働して動作する態様であっても良い。
【０１５７】
又、本発明のプログラムの一利用形態は、伝送媒体中を伝送し、コンピュータにより読みとられ、コンピュータと協働して動作する態様であっても良い。
【０１５８】
又、記録媒体としては、ＲＯＭ等も含まれる。
【０１５９】
又、上述した本発明のコンピュータは、ＣＰＵ等の純然たるハードウェアに限らず、ファームウェアや、ＯＳ、更に周辺機器を含むものであっても良い。
【０１６０】
なお、以上説明した様に、本発明の構成は、ソフトウェア的に実現しても良いし、ハードウェア的に実現しても良い。
【０１６１】
以上のような受信装置制御システムによれば、子受信装置が親受信装置に接続要求を発行すると、親受信装置では認証を行い、認証に失敗するとセンター装置で再度認証し、センター装置での認証結果に応じて、子受信装置への応答を変更する。この結果、子受信装置の状態に応じて、自動認証設定や登録手順提示あるいは不正受信装置であれば受信停止など、より柔軟に対応できる機能などを提供することが可能となる。
【産業上の利用可能性】
【０１６２】
本発明にかかる装置管理システム等は、宅内ネットワークのような第２のネットワークを通じて介して親受信装置越しにコンテンツを取得する可能性のある子受信装置をセンター装置側で確実に管理することが可能な効果を有し、ＣＡＴＶネットワークとＬＡＮとを組み合わせたネットワークを介したＣＡＴＶの柔軟なサービス提供などに有用である。
【図面の簡単な説明】
【０１６３】
【図１】本発明の実施の形態１におけるＣＡＴＶネットワークでの受信装置制御システムの構成を示すブロック図
【図２】本発明の実施の形態１におけるＣＡＴＶネットワークでの受信装置制御システムの各構成装置の機能を示すブロック図
【図３】センター装置１００から送信された番組を受信して蓄積するまでの処理の流れを示す図
【図４】子受信装置３００が親受信装置２００に蓄積された番組の視聴を希望し、接続が失敗した場合の処理の流れを示す図
【図５】子受信装置３００が親受信装置２００に蓄積された番組の視聴を希望して接続が失敗しセンター装置１００にも子ＩＤ＜ａａａａ＞が存在しない場合の処理の流れを示す図
【図６】本実施の形態における、親受信装置２００の処理の流れを示す図
【図７】本発明の実施の形態２におけるＣＡＴＶネットワークでの受信装置制御システムの各構成装置の機能を示すブロック図
【図８】本発明の実施の形態２における子受信装置３００が親受信装置２００に蓄積された番組の視聴を希望して接続が失敗しセンター装置１００にも子ＩＤ＜ａａａａ＞が存在しない場合の処理の流れを示す図
【図９】本発明の実施の形態３におけるＣＡＴＶネットワークでの受信装置制御システムの各構成装置の機能を示すブロック図
【図１０】本発明の実施の形態３における子受信装置３００が親受信装置２００に蓄積された番組の視聴を希望して接続が失敗しセンター装置１００にも子ＩＤ＜ａａａａ＞が存在しない場合の処理の流れを示す図
【図１１】本発明の実施の形態３におけるＣＡＴＶネットワークでの受信装置制御システムの各構成装置の機能を示すブロック図
【図１２】本発明の実施の形態４における子受信装置３００が親受信装置２００に蓄積された番組の視聴を希望して接続が失敗しセンター装置１００にも子ＩＤ＜ａａａａ＞が存在しない場合の処理の流れを示す図
【図１３】本発明の実施の形態５におけるＣＡＴＶネットワークでの受信装置制御システムの各構成装置の機能を示すブロック図
【図１４】本発明の実施の形態６におけるＣＡＴＶネットワークでの受信装置制御システムの各構成装置の機能を示すブロック図
【図１５】本発明の実施の形態１から実施の形態６におけるＣＡＴＶネットワークでの受信装置制御システムにおいて、親受信装置２００がインターフェース変換手段２１２を保持した場合の各構成装置の機能を示すブロック図
【符号の説明】
【０１６４】
１０  ＣＡＴＶ局１０                           
２０  利用者宅                                 
３０  ＣＡＴＶネットワーク                     
４０  ＬＡＮ                                   
１００  センター装置                           
１０１  コンテンツ送信手段                     
１０２  第１ネットワーク接続手段（センター装置）
１０３  第１ネットワーク通信手段（センター装置）
１０４  親子ＩＤ保持手段（センター装置）       
１０５  親子ＩＤ比較手段                       
１０６  比較判定結果送信手段                   
１０７  登録情報送信手段                       
１０８  接続登録情報送信手段（センター装置）   
１０９  不正子ＩＤ保持手段                     
２００  親受信装置                             
２０１  第１ネットワーク接続手段（親受信装置） 
２０２  コンテンツ受信手段                     
２０３  コンテンツ蓄積手段                     
２０４  第２ネットワーク接続手段（親受信装置） 
２０５  ＩＤ比較手段                           
２０６  親子ＩＤ保持手段（親受信装置）         
２０７  接続許可送信手段                       
２０８  不一致ＩＤ送信手段                     
２０９  第１ネットワーク通信手段（親受信装置） 
２１０  センターデータ解析処理手段             
２１１  接続登録情報送信手段（親受信装置）     
３００  子受信装置                             
３０１  ＩＤ保持部                             
３０２  ＩＤ送信手段                           
３０３  第２ネットワーク接続手段（子受信装置） 
３０４  第２ネットワーク受信手段               
３０５  表示手段                               
３０６  第１ネットワーク接続手段（子受信装置） 
３０７  登録情報設定手段（子受信装置）         
３０８  制御手段                               
【図１】
2009010650.tif 000003
【図２】
2009010650.tif 000004
【図３】
2009010650.tif 000005
【図４】
2009010650.tif 000006
【図５】
2009010650.tif 000007
【図６】
2009010650.tif 000008
【図７】
2009010650.tif 000009
【図８】
2009010650.tif 000010
【図９】
2009010650.tif 000011
【図１０】
2009010650.tif 000012
【図１１】
2009010650.tif 000013
【図１２】
2009010650.tif 000014
【図１３】
2009010650.tif 000015
【図１４】
2009010650.tif 000016
【図１５】
2009010650.tif 000017